【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
予め生成された電気的な画像信号を可視画像として再生可能なカメラであって、
前記電気的な画像信号を格納する記憶手段と、
前記記憶手段に格納された前記電気的な画像信号のうち、複数の画像信号に対応するサムネイルを表示する表示手段と、
操作部材と、
前記操作部材の指示に基づき、前記表示手段に複数の前記サムネイルが表示されている状態で、前記画像信号を所定の順序で一つ前または後の前記画像信号を選択可能であり、かつ、前記所定の順序で複数個前または後の画像信号を選択可能な画像表示制御手段とを備える、カメラ。
【請求項２】
前記画像表示制御手段は、前記表示手段に表示されていないサムネイルに対応する前記画像信号が前記操作部材により選択されると、前記選択された画像信号に対応するサムネイルを含む複数のサムネイルを前記表示手段に表示することを特徴とする、請求項１に記載のカメラ。
【請求項３】
予め生成された電気的な画像信号を可視画像として再生可能なカメラであって、
前記電気的な画像信号を複数の画像フォルダに対応付けて格納する記憶手段と、
前記記憶手段に格納された前記電気的な画像信号を可視画像として表示する表示手段と、
操作部材と、
前記操作部材の指示に基づき、前記表示手段に前記画像信号が表示された状態で、前記表示手段に表示されている画像信号に対応する画像フォルダ以外の画像フォルダを選択する画像表示制御手段とを備える、カメラ。
【請求項４】
前記画像表示制御手段は、前記操作部材によって前記画像フォルダが選択されると、前記選択された前記画像フォルダに対応する複数の前記画像信号のうち、撮影時刻が最も早い画像信号を可視画像として前記表示手段に表示することを特徴とする、請求項３に記載のカメラ。
【請求項５】
予め生成された電気的な画像信号を可視画像として再生可能なカメラであって、
前記電気的な画像信号を複数の画像フォルダに対応付けて格納する記憶手段と、
前記記憶手段に格納された前記電気的な画像信号を可視画像として表示する表示手段と、
操作部材と、
前記操作部材の指示に基づき、前記表示手段に表示されている画像信号に対応する画像フォルダ以外の画像フォルダに対応する複数の前記画像信号のうち、撮影時刻が最も早い画像信号を可視画像として前記表示手段に表示する画像表示制御手段とを備える、カメラ。
【請求項６】
予め生成された電気的な画像信号を可視画像として再生可能なカメラであって、
前記電気的な画像信号に属性情報を付して格納する記憶手段と、
前記記憶手段に格納された前記電気的な画像信号を可視画像として表示する表示手段と、
操作部材と、
前記操作部材の指示に基づき、前記画像信号に付された所定の属性情報を基に、前記属性情報ごとに、前記可視画像を前記表示手段にスクロール表示させる画像表示制御手段とを備える、カメラ。
【請求項７】
予め生成された電気的な画像信号を可視画像として再生可能なカメラであって、
前記電気的な画像信号に属性情報を付して格納する記憶手段と、
前記記憶手段に格納された前記電気的な画像信号を可視画像として表示する表示手段と、
操作部材と、
前記操作部材の指示に基づき、前記表示手段に前記画像信号が表示された状態で、前記表示手段に表示されている画像信号に対応する属性情報以外の属性情報を選択する画像表示制御手段とを備える、カメラ。
【請求項８】
前記画像表示制御手段は、前記操作部材によって前記属性情報が選択されると、前記選択された前記属性情報に対応する複数の前記画像信号のうち、撮影時刻が最も早い画像信号を可視画像として前記表示手段に表示することを特徴とする、請求項７に記載のカメラ。
【請求項９】
前記属性情報は、撮影された期間を示すことを特徴とする、請求項６から８のいずれかに記載のカメラ。
【手続補正２】
【補正対象書類名】明細書
【補正対象項目名】発明の名称
【補正方法】変更
【補正の内容】
【発明の名称】カメラ
【手続補正３】
【補正対象書類名】明細書
【補正対象項目名】００１１
【補正方法】変更
【補正の内容】
【００１１】
本発明は、予め生成された電気的な画像信号を可視画像として再生可能なカメラに関するものであり、電気的な画像信号を格納する記憶手段と、当該カメラは、記憶手段に格納された電気的な画像信号のうち、複数の画像信号に対応するサムネイルを表示する表示手段と、操作部材と、操作部材の指示に基づき、表示手段に複数のサムネイルが表示されている状態で、画像信号を所定の順序で一つ前または後の画像信号を選択可能であり、かつ、所定の順序で複数個前または後の画像信号を選択可能な画像表示制御手段とを備える。
【手続補正４】
【補正対象書類名】明細書
【補正対象項目名】００１２
【補正方法】変更
【補正の内容】
【００１２】
画像表示制御手段は、表示手段に表示されていないサムネイルに対応する画像信号が操作部材により選択されると、選択された画像信号に対応するサムネイルを含む複数のサムネイルを表示手段に表示しても良い。
【手続補正５】
【補正対象書類名】明細書
【補正対象項目名】００１３
【補正方法】変更
【補正の内容】
【００１３】
また、本発明の他の構成に係るカメラは、電気的な画像信号を複数の画像フォルダに対応付けて格納する記憶手段と、記憶手段に格納された電気的な画像信号を可視画像として表示する表示手段と、操作部材と、操作部材の指示に基づき、表示手段に画像信号が表示された状態で、表示手段に表示されている画像信号に対応する画像フォルダ以外の画像フォルダを選択する画像表示制御手段とを備える。
【手続補正６】
【補正対象書類名】明細書
【補正対象項目名】００１４
【補正方法】変更
【補正の内容】
【００１４】
画像表示制御手段は、操作部材によって画像フォルダが選択されると、選択された画像フォルダに対応する複数の画像信号のうち、撮影時刻が最も早い画像信号を可視画像として表示手段に表示しても良い。
【手続補正７】
【補正対象書類名】明細書
【補正対象項目名】００１５
【補正方法】変更
【補正の内容】
【００１５】
また、本発明の他の構成に係るカメラは、電気的な画像信号を複数の画像フォルダに対応付けて格納する記憶手段と、記憶手段に格納された電気的な画像信号を可視画像として表示する表示手段と、操作部材と、操作部材の指示に基づき、表示手段に表示されている画像信号に対応する画像フォルダ以外の画像フォルダに対応する複数の画像信号のうち、撮影時刻が最も早い画像信号を可視画像として表示手段に表示する画像表示制御手段とを備える。
【手続補正８】
【補正対象書類名】明細書
【補正対象項目名】００１６
【補正方法】変更
【補正の内容】
【００１６】
また、本発明の他の構成に係るカメラは、電気的な画像信号に属性情報を付して格納する記憶手段と、記憶手段に格納された電気的な画像信号を可視画像として表示する表示手段と、操作部材と、操作部材の指示に基づき、画像信号に付された所定の属性情報を基に、属性情報ごとに、可視画像を表示手段にスクロール表示させる画像表示制御手段とを備える。
【手続補正９】
【補正対象書類名】明細書
【補正対象項目名】００１７
【補正方法】変更
【補正の内容】
【００１７】
あるいは、本発明の他の構成に係るカメラは、電気的な画像信号に属性情報を付して格納する記憶手段と、記憶手段に格納された電気的な画像信号を可視画像として表示する表示手段と、操作部材と、操作部材の指示に基づき、表示手段に画像信号が表示された状態で、表示手段に表示されている画像信号に対応する属性情報以外の属性情報を選択する画像表示制御手段とを備える。
【手続補正１０】
【補正対象書類名】明細書
【補正対象項目名】００１８
【補正方法】変更
【補正の内容】
【００１８】
画像表示制御手段は、操作部材によって属性情報が選択されると、選択された属性情報に対応する複数の画像信号のうち、撮影時刻が最も早い画像信号を可視画像として表示手段に表示しても良い。
【手続補正１１】
【補正対象書類名】明細書
【補正対象項目名】００１９
【補正方法】変更
【補正の内容】
【００１９】
属性情報は、撮影された期間を示すものであっても良い。
【手続補正１２】
【補正対象書類名】明細書
【補正対象項目名】００２０
【補正方法】変更
【補正の内容】
【００２０】
本発明によって、予め生成された電気的な画像信号を可視画像として再生する際に、操作性がよいカメラを提供することができる。
【手続補正１３】
【補正対象書類名】明細書
【補正対象項目名】００２１
【補正方法】変更
【補正の内容】
【００２１】
本発明により、操作性がよく、操作部材を操作することにより予め生成された電気的な画像信号を可視画像として再生する撮像装置を提供することができる。
【手続補正１４】
【補正対象書類名】明細書
【補正対象項目名】００２２
【補正方法】変更
【補正の内容】
【００２２】
本発明により、操作性がよく、操作部材を操作することにより予め生成された電気的な画像信号を可視画像として再生することができるレンズ鏡筒、及びそのレンズ鏡筒に接続されるカメラ本体を提供することができる。
【手続補正１５】
【補正対象書類名】明細書
【補正対象項目名】００３５
【補正方法】変更
【補正の内容】
【００３５】
また、レンズ鏡筒は、内部にフォーカス駆動モータ１５を有する。フォーカス駆動モータ１５は、後述する制御により、フォーカスリング３２の回転角度に応じてフォーカスレンズ群を光軸方向に駆動する。フォーカスレンズ群が駆動されることにより、撮影光学系Ｌの物体距離が変更される。
【手続補正１６】
【補正対象書類名】明細書
【補正対象項目名】００４３
【補正方法】変更
【補正の内容】
【００４３】
フォーカスリング３２は、外周面にフォーカスモード切り替えボタン３７を持つ。図８（ａ）は、本発明の実施の形態に係るフォーカスリングが第１の停止位置にある場合の略断面図である。また、図８（ｂ）は、本発明の実施の形態に係るフォーカスリングが第１の停止位置と第２の停止位置との間にある場合の略断面図である。また、図８（ｃ）は、本発明の実施の形態に係るフォーカスリングが第２の停止位置にある場合の略断面図である。なお、図中かっこで記した符号は、絞りリング４０の構造を説明する場合に相当するため、フォーカスリング３２の構造に関連する説明では無視してよい。また、図８（ａ）〜（ｃ）の（１）は、フォーカスモード切り替えボタン３７の中心を通り光軸ＡＸを含む平面でカットした略断面図である。また、図８（ａ）〜（ｃ）の（２）は、フォーカスモード切り替えボタン３７の中心を通り光軸ＡＸに垂直な面（ｘｙ面）でカットした略断面図である。
【手続補正１７】
【補正対象書類名】明細書
【補正対象項目名】００５２
【補正方法】変更
【補正の内容】
【００５２】
図４及び図９において、絞りリング４０は、外周面に絞り値を表示する。絞り値の表示領域は２つの領域に分かれている。図９中、［２］から［１１］までの表示部分がマニュアル領域に対応し、［Ａ］の表示部分がオート領域に対応する。なお、絞りリング４０の回転角度の検出方法、ならびに絞りモード切り替えボタン４３の操作方法については、先に説明した絞りリング４０と概略同一であるので、その説明は省略する。
【手続補正１８】
【補正対象書類名】明細書
【補正対象項目名】００５５
【補正方法】変更
【補正の内容】
【００５５】
マイクロコンピュータ４９は、ズーム制御部６０と、シャッターボタン６３と、シャッタースピード設定ダイヤル６４と、撮影／再生モード切り替えレバー７１と、ＭＥＮＵボタン７２と、十字操作キー７３と、ＳＥＴボタン７４とから信号を受信可能である。マイクロコンピュータ４９は、シャッター制御部６５と、画像記録制御部５５と、画像表示制御部５８と、音声制御部５９へと信号を送信可能である。マイクロコンピュータ４９は、フォーカス制御部６１と、絞り制御部６２と、デジタル信号処理部５３との間で信号を相互に交信可能である。また、マイクロコンピュータ４９は、信号を格納するメモリ６６を持つ。
【手続補正１９】
【補正対象書類名】明細書
【補正対象項目名】００５７
【補正方法】変更
【補正の内容】
【００５７】
フォーカス制御部６１は、フォーカスリニアセンサ３５から信号を受信可能であり、Ａ／Ｄ変換部３５ａを介して、フォーカス駆動モータ１５へ信号を送信可能である。フォーカス制御部６１は、フォーカスリニアセンサ３５により検出され、Ａ／Ｄ変換部３５ａによりデジタル化されたフォーカスリング３２の回転角度より、フォーカスモードを判断する。フォーカス制御部６１は、判断した結果をマイクロコンピュータ４９へ送信する。フォーカス制御部６１は、マイクロコンピュータ４９からの指令に基づいてフォーカスリング３２の回転角度より検出した物点距離情報を、マイクロコンピュータ４９へ送信する。フォーカス制御部６１は、マイクロコンピュータ４９からの制御信号に基づいてフォーカス駆動モータ１５を駆動する。
【手続補正２０】
【補正対象書類名】明細書
【補正対象項目名】００５８
【補正方法】変更
【補正の内容】
【００５８】
絞り制御部６２は、絞りリニアセンサ４１から信号を受信可能であり、Ａ／Ｄ変換部４１ａを介して、絞り駆動モータ２２ｂへ信号を送信可能である。絞り制御部６２は、絞りリニアセンサ４１により検出され、Ａ／Ｄ変換部４１ａによりデジタル化された絞りリング４０の回転角度により、絞りモードを判断する。絞り制御部６２は、判断した結果をマイクロコンピュータ４９へ送信する。絞り制御部６２は、マイクロコンピュータ４９からの指令に基づいて絞りリング４０の回転角度より検出した絞り値情報を、マイクロコンピュータ４９に送信する。絞り制御部６２は、マイクロコンピュータ４９からの制御信号に基づいて絞り駆動モータ２２ｂを駆動する。
【手続補正２１】
【補正対象書類名】明細書
【補正対象項目名】００５９
【補正方法】変更
【補正の内容】
【００５９】
シャッター制御部６５は、マイクロコンピュータ４９からの制御信号に基づいてシャッター駆動モータ２２ａを駆動する。シャッターボタン６３は、マイクロコンピュータ４９へシャッタータイミングを送信する。シャッタースピード設定ダイヤル６４は、設定されたシャッタースピード情報及びシャッターモード情報を送信する。
【手続補正２２】
【補正対象書類名】明細書
【補正対象項目名】００６０
【補正方法】変更
【補正の内容】
【００６０】
撮像センサ１６は、ＣＣＤ（Ｃｈａｒｇｅ  Ｃｏｕｐｌｅｄ  Ｄｅｖｉｃｅ）である。撮像センサ１６は、レンズ鏡筒４６の撮影光学系Ｌにより形成される光学的な像を電気的な画像信号に変換する。撮像センサ１６は、ＣＣＤ駆動制御部５０により駆動・制御される。撮像センサ１６から出力される画像信号は、アナログ信号処理部５１と、Ａ／Ｄ変換部５２と、デジタル信号処理部５３と、バッファメモリ５４と、画像圧縮部５６との順に処理される。
【手続補正２３】
【補正対象書類名】明細書
【補正対象項目名】００６４
【補正方法】変更
【補正の内容】
【００６４】
圧縮された画像信号は、画像圧縮部５６から画像記録部５７及び液晶モニタＬＣＤへ送信される。一方、マイクロコンピュータ４９は、画像記録制御部５５及び画像表示制御部５８へ制御信号を送信する。画像記録制御部５５は、マイクロコンピュータ４９からの制御信号に基づいて画像記録部５７を制御する。画像表示制御部５８は、マイクロコンピュータ４９からの制御信号に基づいて液晶モニタＬＣＤを制御する。
【手続補正２４】
【補正対象書類名】明細書
【補正対象項目名】０１０９
【補正方法】変更
【補正の内容】
【０１０９】
上記のシステムに適用する場合、各実施の形態で説明したマイクロコンピュータに対応する制御部、画像記憶部、液晶モニタ等は、カメラ本体に含まれる。したがって、上記のシステムにおいて、レンズ鏡筒に設けられた絞りリングの回転角度を検出する絞りリニアセンサからの出力をカメラ本体のマイクロコンピュータ等の制御部へ入力させ、カメラ本体側で画像の選択を行う構成とすればよい。この場合も同様の効果を奏することができる
。
【手続補正２５】
【補正対象書類名】明細書
【補正対象項目名】０１１２
【補正方法】変更
【補正の内容】
【０１１２】
また、各実施の形態においては、フォーカスリングによる操作について説明したが、絞りリングに、その機能を割り当てもよい。
【手続補正２６】
【補正対象書類名】明細書
【補正対象項目名】０１１７
【補正方法】変更
【補正の内容】
【０１１７】
ＢＤ  本体
ＴＬ  撮像装置
Ｌ  撮影光学系
１  デジタルカメラ
２２  絞りユニット
２６  ズームリング
２９  フィルタマウント
３２  フォーカスリング
３３  指標
３６  リング固定枠
４０  絞りリング
４１  絞りリニアセンサ
４２  絞りリングのカム溝
４３  絞りモード切り替えボタン
４６  レンズ鏡筒
４９  マイクロコンピュータ
６０  ズーム制御部
６１  フォーカス制御部
６２  絞り制御部
６３  シャッターボタン
６４  シャッタースピード設定ダイヤル
６５  シャッター制御部
７０  電源ボタン
７１  撮影／再生モード切り替えレバー
７２  ＭＥＮＵボタン
７３  十字操作キー
７４  ＳＥＴボタン
７５  画面操作キー
【手続補正２７】
【補正対象書類名】図面
【補正対象項目名】図１０
【補正方法】変更
【補正の内容】
【図１０】
2005295056.tif 000001